(57)【要約】【課題】送信者や受信者を煩わせることなく、自動的に発信を制限する携帯電話を提供する。【解決手段】  携帯電話網を介して発信者と着信者との通話を可能とした携帯電話であって、電話先またはメールの宛先を記憶するアドレス帳と、携帯電話のアドレス帳には、発信先の相手が携帯電話で話すには不都合な時間帯を個別に記録するとともに、この不都合がある時間帯に電話を発信しようとすると知らせる警報手段を設けた。  携帯電話網を介して発信者と着信者との通話を可能とした携帯電話であって、電話先またはメールの宛先を記憶するアドレス帳と、携帯電話のアドレス帳には、発信先の相手が携帯電話で話すのに都合が良い時間帯を個別に記録するとともに、この都合が良い時間帯の範囲外で電話を発信しようとすると知らせる警報手段を設けた。【選択図】        図２
2006186448.tif 000002
【特許請求の範囲】
【請求項１】
携帯電話網を介して発信者と着信者との通話を可能とした携帯電話であって、電話先またはメールの宛先を記憶するアドレス帳と、携帯電話のアドレス帳には、発信先の相手が携帯電話で話すには不都合な時間帯を個別に記録するとともに、この不都合がある時間帯に電話を発信しようとすると知らせる警報手段を設けたことを特徴とする携帯電話。
【請求項２】
携帯電話網を介して発信者と着信者との通話を可能とした携帯電話であって、電話先またはメールの宛先を記憶するアドレス帳と、携帯電話のアドレス帳には、発信先の相手が携帯電話で話すのに都合が良い時間帯を個別に記録するとともに、この都合が良い時間帯の範囲外で電話を発信しようとすると知らせる警報手段を設けたことを特徴とする携帯電話。
【請求項３】
請求項１または２の構成において、警報手段が報知しても、緊急の用件がある場合には、緊急発信手段を用いて連絡可能としたことを特徴とする携帯電話。
また、不都合な時間帯から抜けた時に、発信者に知らせる報知手段を設けたものである
【請求項４】
請求項１または２の構成において、不都合な時間帯を通話先からメール送信してもらうことにより、そのメールから不都合な時間帯をアドレス帳に書き込むようにしたことを特徴とする携帯電話。
【請求項５】
請求項１または２の構成において、赤外線などで携帯電話の端末同士で情報をやりとりできる機能を有すると共に、その情報のやりとりの際に都合の良い時間帯の情報をやりとりする携帯電話。
【発明の詳細な説明】
【技術分野】
【０００１】
本発明は、いわゆる携帯電話やＰＨＳなどの携帯通信端末の発信制限システムに関する。以降、この明細書においては、携帯通信端末を携帯電話と称する。
【背景技術】
【０００２】
携帯電話では友人や知人の携帯電話番号をアドレス帳に記憶して、発信できるように構成されている。
【０００３】
携帯電話は、従来の家庭間同士の連絡というよりも、個人対個人のコミュニケーションを簡単にできる。ただ、携帯電話の場合、発信先の都合(時間帯)を考えずに発信してしまうことが多くなってきた。
【０００４】
例えば、以下のような技術が開示されている。すなわち、携帯電話網を介してサーバによりスケジュール情報を管理するスケジュール管理方法であって、着信状態に応じて着信者の上記スケジュール情報を抽出する抽出手順と、上記抽出手順により抽出された上記スケジュール情報に基づいて、上記着信者の通話可否情報を生成する生成手順と、上記携帯電話網を介して上記通話可否情報を発信者に通知する通知手順とを有する発明。
（例えば、特許文献１参照）。
【０００５】
【特許文献１】特開２００３−２５９４５０号公報
【発明の開示】
【発明が解決しようとする課題】
【０００６】
しかしながら、サーバーによりスケジュールを管理すると言っても、携帯電話はその性質上、不特定多数へ発信できるため、開示技術では実現困難である。特に、スケジュール情報を自動抽出することは難しく、できたとしても不正確なものになってしまう。
【０００７】
そこで本発明は、送信者や受信者を煩わせることなく、自動的に発信を制限することが可能な携帯電話を提供することを目的とする。
【課題を解決するための手段】
【０００８】
上述の課題を解決するため、本発明は、携帯電話網を介して発信者と着信者との通話を可能とした携帯電話であって、電話先またはメールの宛先を記憶するアドレス帳と、携帯電話のアドレス帳には、発信先の相手が携帯電話で話すには不都合な時間帯を個別に記録するとともに、この不都合がある時間帯に電話を発信しようとすると知らせる警報手段を設けたものである。
不都合な時間帯という表現を反転させれば、都合の良い時間帯にのみ発信を無条件で許すという意味である。すなわち、携帯電話網を介して発信者と着信者との通話を可能とした携帯電話であって、電話先またはメールの宛先を記憶するアドレス帳と、携帯電話のアドレス帳には、発信先の相手が携帯電話で話すのに都合が良い時間帯を個別に記録するとともに、この都合が良い時間帯の範囲外で電話を発信しようとすると知らせる警報手段を設けたものである。
【０００９】
また、その構成において、警報手段が報知しても、緊急の用件がある場合には、緊急発信手段を用いて連絡可能としたものである。
また、不都合な時間帯から抜けた時に、発信者に知らせる報知手段を設けたものである。
また、不都合な時間帯を通話先からメール送信してもらうことにより、そのメールから不都合な時間帯をアドレス帳に書き込むようにしたものである。また、赤外線などで携帯電話の端末同士で情報をやりとりできる機能を有するものは、その情報のやりとりの際に都合の良い時間帯の情報をやりとりする構成にしても良い。
【００１０】
以上の構成によって、発信者も受信者も煩わせることなく、自動的に発信規制することが可能になる。
【発明の効果】
【００１１】
以上説明したように、本発明は以下の効果を奏する。
携帯電話網を介して発信者と着信者との通話を可能とした携帯電話であって、電話先またはメールの宛先を記憶するアドレス帳と、携帯電話のアドレス帳には、発信先の相手が携帯電話で話すには不都合な時間帯を個別に記録するとともに、この不都合がある時間帯に電話を発信しようとすると知らせる警報手段を設けることによって、特別に神経質にならなくとも、携帯電話の発信先に迷惑にならないメリットが生じる。
【００１２】
また、その構成において、警報手段が報知しても、緊急の用件がある場合には、緊急発信手段を用いることで、発信許可時間帯でなくても、連絡することが可能になる。
【００１３】
また、不都合な時間帯から抜けた時に、発信者に知らせる報知手段を設けることによって、発信しても良い時刻になったことを知ることができる。
【００１４】
また、不都合な時間帯を通話先からメール送信してもらうことにより、そのメールから不都合な時間帯をアドレス帳に書き込むようにすることで、簡単に設定が行えるようになる。
【実施例１】
【００１５】
以下、本発明の実施の形態について図面を参照して説明する。
【００１６】
図１は、本発明の携帯電話システムの構成例を示す。
携帯電話とは、無線通信を利用した、持ち歩ける電話機のことである。基地局(有線ネットワーク)との中継点４と電話機１が無線で通信し、他の携帯電話５や６や７などと通信できる。
また従来はアナログ携帯電話だったが、音声信号を数値データに変換し、デジタル通信により送受信するデジタル携帯電話でも良い。
そのため、屋外でも使用できる電話機の機能を持つものならば、いわゆる「携帯電話」の他にも「ＰＨＳ」と呼ばれる通信端末をまとめて携帯電話と呼ぶことにする。
また電話のように話すだけではなく、メールを交換したり、サイトからデータをダウンロードすることしもできるようになっている。
携帯電話１は、液晶ディスプレイよりなる表示部や各種のボタン３などよりなる。他に無線部、受話部、発信部なども備えているが、図示は省略した。
また携帯電話には、赤外線の受発信機能がついたものがある。その場合には、赤外線に様々な情報を載せる事で、お互いの携帯電話の番号を交換したりすることができる。
【００１７】
図２は、携帯電話の構成の一部を図示したものである。携帯電話のアドレス帳Ａには、発信先毎に、複数の人の発信先番号１０や発信許可時間帯１１が記憶されている。また、時刻取得手段Ｔや緊急発信手段Ｋや許可待機手段Ｗを備えている。
【００１８】
従来は発信側はいつでも発信できるため、相手の都合を考えない発信が行われる恐れがあった。
・例えば、Ａ氏は午後８時半に就寝し、翌朝の午前４時半に起床するものとする。
・Ｂ氏は午後１１時半に就寝し、翌朝の午前７時半に起床するものとする。これが平均的な人の睡眠時間だと推測される。
・Ｃ氏は真夜中の午前３時半に就寝し、翌朝午前１１時に起床するものとする。普通なら午前０時に電話をかけるのは非常識だが、Ｃ氏の生活パターンでは失礼に相当しない。また逆に午後１０時の電話は常識的だが、Ｃ氏にとっては迷惑になってしまう。
・Ｄ氏は夜勤で徹夜で自動車製造ラインで組み立て作業をしているので、組立作業中の電話は厳禁である。それなら携帯の電源を切れば良いのかもしれない。しかし、友人や親戚の訃報などがいつ連絡されてくるかわからないので、携帯の電源を切らず、呼び出し音がなるようにして作業している。
就寝時間の他にも、じぶんどき(食事や風呂の時間)に電話をかけるのは受信者側の迷惑になる。
また会社などに勤務している人に対しては、通勤時間帯や勤務時間中に発信するのは迷惑になる。アルバイトをしている人に対しても同様である。もっとも、営業の仕事の場合には逆に勤務時間中にのみ発信可としても良い。
【００１９】
ところが、発信先ごとに発信許可時間帯を記録しておくことにより、不適切な時間帯に携帯電話をかけようとすると、液晶画面やボイスやバイブレーションなどにより、「今、Ａ氏に電話をかけるのは不適切です。」という警告がなされる。
【００２０】
ただ緊急の場合、Ａ氏になんとか電話で連絡したい場合には、連絡できないと困るので、緊急発進手段Ｋが設けられる。
また、用事があってＡ氏に連絡しようとした場合、Ａ氏に対しては不適切な時間帯である旨の警告が出された場合、発信者は、連絡するのを待つことになる。その場合には、許可待機手段Ｗが有用である。すなわちＡ氏への発信許可時間帯になった時に、その旨を知らせてくれるからである。
【００２１】
本発明においては、常識的な発信許可時間帯を設定できるようになっている。すなわち、以下のモードが設けられている。
【００２２】
もっともシンプルな実施形態は、以下の通りである。
デフォルトで平均的な睡眠時間帯にかけないように設定されており、休日の場合には発信許可時間帯をウィークデーより幅広く設定する。
【００２３】
また他には、
・夜の何時までなら発信しても良いかだけを定める構成、
・朝の何時からなら発信しても良いかだけを定める構成、
・曜日に関係なく、また人に関係なく、発信許可時間帯のみを定める構成でも良い。
さらに、許可時間帯は分断されていても良い。例えば、ＰＭ１２：００〜ＰＭ１：００とＰＭ７：００〜ＰＭ９：００は許可するといった具合である。
【００２４】
また、それほど親しくない人の場合には、いちいち発信時間を細かく設定する必要がない場合もある。その場合は、携帯電話の発信制御を行わないか、あるいは常識的な時間帯(例えば)午後７時〜午後９時に設定する。
【００２５】
小学生、中学生、高校生の場合は、授業時間を発信制限する時間としても良い。年度が変わる度に、学年が変更されても切り替えられるように、発信先の相手の年齢(または誕生日)に応じて、自動的に発信制限時間を変更するようにしても良い。
【００２６】
あるいは曜日毎に、ドラマや歌番組など特定時間帯に放映されるテレビ番組を見る人にも迷惑をかける恐れがある場合もありうる。
【００２７】
従って、デフォルトの発信許可時間帯を曜日や時間で細かく指定できる構成を準備しておくのが望ましい。
【００２８】
なお、発信許可時間帯は、ボイスで通話する場合のことであり、メールに関しては発信許可時間帯を設けない構成としても良い。もっともメールが着信した場合でも、ベルがなる設定ができる機種があるが、それは相手先の設定に委ねるしかない。
【００２９】
また、相手の携帯電話にかけるのは良いが、相手の家の固定電話にかけるのがマナー違反になる時間帯がある。その場合は、時刻により固定電話ではなく、携帯電話に発信するように振り替えする制御をしても良い。
【００３０】
本発明の制御フローチャートを図３に基づいて説明する。まずステップＳ１において、「発信先の許可時間帯か？」がチェックされる。イエスすなわち「許可時間帯である」場合にはステップＳ５において発信先に発信される。
【００３１】
ステップＳ１において、「発信先の許可時間帯か？」がチェックされる。ノーすなわち「許可時間帯ではない」場合にはステップＳ２において発信不許可であることが表示される。すなわち、携帯電話の液晶に発信禁止表示と、次に発信可能な時間帯の表示がなされるものである。
【００３２】
ステップＳ３においては、「緊急発信モードか？」という問い合わせがなされる。もしも緊急に連絡をとりたい場合、すなわちイエスの場合には、ステップＳ５において発信先に発信される。
【００３３】
緊急発信でない場合には、ステップＳ４の発信待機モードに移行する。すなわち、時刻をチェックして、発信許可時間帯になったら、発信者に知らせるモードである。
【００３４】
この発信待機モードのフローチャートを図４に基づいて説明する。これは割り込み制御であり、まずステップＡ１において、時刻のチェックが行われる。ステップＡ２において、「発信許可時間帯になったかを検討する。「発信許可時間帯になった」場合には、ステップＡ３によって、「発信可能になったことを音や振動や液晶などで知らせることになる。
【００３５】
図５には、アドレス帳の電話の発信番号と発信許可時間帯の設定を行うフローチャートを記す。まず、ステップＢ１において、標準許可時間データの設定を行っている。
これは、例えば上述したように、デフォルトで平均的な睡眠時間帯にかけないように設定されており、休日の場合には発信許可時間帯をウィークデーより幅広く設定するものをαとする。
あるいは、就寝時間の他にも、じぶんどき(食事や風呂の時間)に電話をかけることがないように発信許可時間帯を設定する。これをβとする。また会社などに勤務している人に対しては、通勤時間帯や勤務時間中に発信するのを禁止したり、アルバイトをしている人に対しても同様である。これをγとする。これらを標準的なタイプとして用意して、複数の選択肢から選べるように構成する。
【００３６】
ステップＢ２において、「許可時間帯データを入れるか」が問い合わせられる。つまり、これはステップＢ１を修正するか、一から入れなおすことにより、正確な発信許可時間帯を設定しようというものである。
これらの時間帯は手動で設定するだけでも良い。
【００３７】
さらに加えて、ステップＢ３では、「発信許可時間帯メールの催促」をしているものである。これは、ステップＢ２において設定した時間帯が正しいのかどうかを、相手側にメールしてもらうように催促する工程を指す。
【００３８】
ステップＢ４において、発信の相手側から「発信許可時間帯メールの受信」をチェックし、受信できた場合には、それに合わせて、発信許可時間帯を修正するものである。
正確には「発信許可時間帯のメールの受信」がはいつ行われるかわからないため、実施する場合には、割り込み制御になるが、説明を容易にするために、一連のフローチャートとして説明した。
【００３９】
着信許可メールの受信は、例えば図６に示すように行われる。なお、実施例に開示するが、これは相手先が異性であったりして、すぐに携帯番号を教えてもらえない場合の発明の実施の形態も同時に説明されている。
【００４０】
すなわち、ステップＣ１において、「着信許可メールを受信したか」を調べている。イエスの場合には、ステップＣ２に進み、「着信許可メールにより、携帯電話番号、携帯発信許可時間帯を取得」している。
ステップＣ３において、アドレス帳に登録するかが問い合わされる。普通は無条件で登録しても良いのだが、ＳＰＡＭ（迷惑メール）の場合があるからである。登録しない場合はサブルーチンを抜けることになる。
【００４１】
ステップＣ３において、アドレス帳に登録するとした場合には、ステップＣ４において、アドレス帳に登録されることになる。
【００４２】
このように、携帯電話において、携帯メールのみ連絡する手段と、携帯番号のみ連絡する手段と、携帯メールと携帯番号の両者を連絡する手段を設けるように構成しても良い。  この場合にはいわゆるセクハラ電話などがかかってくることを防止できるからである。
【００４３】
図７に示すのが簡易設定モードである。
（１）学生は、１６：００  ２１：００
（２）社会人は、２１：００  ２３：００
（３）主婦は、０８：００  １８：００
（４）制限が特にない場合は、０８：００  ２３：００
（５）その他  詳細設定
というふうにワンタッチで複数のモードから選べるようにしている。これも上述したように許可時間帯は分断されていても良い。
【図面の簡単な説明】
【００４４】
【図１】本発明の携帯電話の構成図である。
【図２】本発明の携帯電話の構成の一部を示す図である。
【図３】本発明の制御フローチャートの一部を示す図である。
【図４】本発明の制御フローチャートの一部を示す図である。
【図５】本発明の制御フローチャートの一部を示す図である。
【図６】本発明の制御フローチャートの一部を示す図である。
【図７】本発明の時間帯設定画面の一例を示す図である。
【符号の説明】
【００４５】
Ａ  アドレス帳
１０  発信先番号
１１  発信許可時間帯
【図１】
2006186448.tif 000003
【図２】
2006186448.tif 000004
【図３】
2006186448.tif 000005
【図４】
2006186448.tif 000006
【図５】
2006186448.tif 000007
【図６】
2006186448.tif 000008
【図７】
2006186448.tif 000009